(57)【要約】      （修正有）【課題】防犯カメラと電子ポスターとＬＥＤ電飾の集約を可能にする。【解決手段】防水構造を備えた本体内部に収納された防犯カメラ１が撮影した画像をアダプター２を介して外部モニター又はパソコンへ表示させる。ポスター表示部（パソコン用ディスプレー）４に表示させる情報はメディア再生機５の写真データを交換する事により容易に変更可能となる。ＬＥＤ電飾部８の多色使用とサイン部の切り抜き文字７が視覚効果を高めポスター部の認知効果を高める。【選択図】図１
2010224507.tif 000002
【特許請求の範囲】
【請求項１】
防水構造を有した箱体内部前面上部にＶＧＡ端子等を有した電子ポスター表示用の液晶ディスプレーが設けられるとおよびに文字・図形・写真などデータを液晶ディスプレーにデータ転送するメディア再生機が取り付けられていると共に、
前記箱体内部に監視用カメラと監視映像を配信するアンプを箱体内部任意位置に設けられると共に、箱体前面中間部に取り付け文字・ロゴマーク等を切り抜き表示するサイン部を備えた事を特徴とする防水型電子ポスター。
【請求項２】
前記データ転送手段のデータ内容が容易に変更可能なメディア再生機を有し、
前記サイン部はサイン表示用切抜き板を箱体外部に設置、箱体内部よりＬＥＤ照明により切り抜き文字・ロゴマークを表示させる事を特徴とする請求項１の防水型電子ポスター。
【請求項３】
前記箱体がＳＵＳ等の金属の製缶部と表示部に使用する塩ビ板とで構成された防水構造の箱体が特徴の防水電子ポスター。
【請求項４】
前記データ転送用再生機・液晶ディスプレー・サイン部・監視カメラが電源供給するだけで自動再生・サイン部照明・自動撮影を行なう事が特徴の防水電子ポスター。
【発明の詳細な説明】
【技術分野】
【０００１】  本発明は、防水構造を有した箱体内部に電子ポスターが設けられた電子ポスターに関する。
【背景技術】
【０００２】  一般に宣伝用・広告用として用いられるポスターは壁面・柱等への掲示や別途スタンドを使用して所望の場所の設置にされ、通常は大判の紙またはそれに類するものへ印刷された表示板とそれを収納するフレームと前期表示板・フレームを照明する蛍光灯で構成されている。
またプラズマディスプレー・大型液晶パネルを具えた静止画・動画表示を行なう電子式ポスターもしられている。
【発明の開示】
【発明が解決しようとする課題】
【０００３】  しかしながら従来の広告掲示方法では、静止画のみの表示であり、注目度・宣伝効果がやや劣る傾向にあり内容の張替作業にコストが嵩む傾向にある。
また、従来のラズマディスプレー・大型液晶パネルは高コスト・設置スペースの大きさでも導入面で負担になる。装置単体での防犯対策・注目度・宣伝効果がやや劣る傾向にある。【０００４】  本発明は上記事情に鑑みて成されたものである。そこで本発明は、注目度・宣伝効果の向上と共に、防犯システム本体に内蔵可能にした安価かつ小スペース（屋内外問わず）に設置する電子ポスターを提供する事を目的とする。
【課題を解決するための手段】
【０００５】  本発明は、上記課題を解決するため、以下の手段を採用する。
本発明は防水構造の箱体内部に液晶ディスプレーにデータ転送するメディアプレーヤーが取り付けられていると共に、監視用カメラと監視映像を配信するアンプを箱体内部任意位置に設けられると共に、箱体前面中間部に取り付け文字・ロゴマーク等を切り抜き表示するサイン部を備える事により広告表示部の張替作業を記録メディアの入れ換えにより行い内容変更のコストダウンを実現しサイン部の視覚効果により注目度を高め広告効果を高める事ができる。
また監視用カメラが内蔵可能な事により防犯対策・宣伝効果の検証・設置場所の状況確認ができる。
【発明の効果】
【０００６】  前期構成を有する本発明の防水型電子ポスターは、広告表示部の内容変更により例えば季節ごとの注目商品やサービスの変更・改善点を静止画・動画を組合せ外部に表示される事と共にサイン部に例えば店名・ロゴマークなどを表示してどこが何をしているかを明確に表示しよりアピール性を向上させる。
また外的要因での破損・盗難時にも監視カメラからの画像を録画する事により原因の究明・把握が容易になる。
【発明を実施するための最良の形態】
【０００７】  以下、本発明に係る一実施形態について、図１及び図２を参照して説明する。
図１は本発明一実例の防水型電子ポスターの電気的構成を説明する図であり、図２は防水型電子ポスターの側面外形共に内部機器配置を説明する図である。【０００８】  防水ＢＯＸ３にはその背面部にキー付きコインロック１１を取付ける事が、内部機器へのイタズラ・盗難防止の為に好ましい。また防水ＢＯＸ底面にはロック付きキャスター１０を取付ける事が設置場所の容易な移動を行なう為に好ましい。【０００９】  防水ＢＯＸ３にはその内部前側上部にディスプレー４を取付ける為の金具と防水用のパッキン・塩ビパネルを設ける。前記ディスプレー４に映し出される映像をより視覚的に確認し易い様１０°〜１５°の傾斜を付ける事が望ましい。内部背面中間部にアダプター４・メディア再生機５・ＬＥＤ照明８・直流電源装置９を取付ける板を設ける。【００１０】  防水ＢＯＸ３には例えばその内部前面中間部にカメラ１取付け用の金具を設け、内部前面中間部にはサイン部７の防水用パッキン・塩ビパネルを設け、内部前面下部にはスピーカー６取付け金具を設ける。【００１０】  サイン部７は例えばＳＵＳ板にロゴマーク・文字をレーザー加工で切抜き防水ＢＯＸ３内部の数色のＬＥＤ照明８で照明し単色ＬＥＤでは表現できない視覚効果を出す。
前記ＬＥＤを安定使用する為に直流電源装置９を設ける。【００１１】  内部のメディア再生機は記憶媒体の内容に応じてディスプレー４の液晶画面に静止画・動画を表示する。なおこのディスプレー４は防水ＢＯＸ３の背面・両面にも設置できる。
音声・画像ともコンセントプラグを差込むだけで自動再生される。【００１２】  防水ＢＯＸ３にはディスプレー４に表示される静止画・動画に合わせた擬音・音声等をながせるスピーカー６を設置する事ができる。【００１３】  防水ＢＯＸ３には任意の位置に監視用カメラを設置できアダプターを介し無線又は有線にて撮影画面を外部モニター・パソコンに映し出す事ができる。前期監視カメラは暗視機能も有り夜間・暗所での撮影も実現する。
【図面の簡単な説明】
【００１４】１  監視カメラ
２  アダプター
３  防水ＢＯＸ
４  ディスプレー
５  メディア再生機
６  スピーカー
７  サイン部
８  ＬＥＤ照明（多色使用）
９  直流電源装置
１０  ロック付きキャスター
１１  キー付きコインロック
【図１】
2010224507.tif 000003
【図２】
2010224507.tif 000004
【手続補正書】
【提出日】平成21年5月27日(2009.5.27)
【手続補正２】
【補正対象書類名】明細書
【補正対象項目名】全文
【補正方法】変更
【補正の内容】
【発明の詳細な説明】
【技術分野】
【０００１】  本発明は、防水構造を有した箱体内部に電子ポスターが設けられた電子ポスターに関する。
【背景技術】
【０００２】  一般に宣伝用・広告用として用いられるポスターは壁面・柱等への掲示や別途スタンドを使用して所望の場所の設置にされ、通常は大判の紙またはそれに類するものへ印刷された表示板とそれを収納するフレームと前期表示板・フレームを照明する蛍光灯で構成されている。
またプラズマディスプレー・大型液晶パネルを具えた静止画・動画表示を行なう電子式ポスターもしられている。
【発明の開示】
【発明が解決しようとする課題】
【０００３】  しかしながら従来の広告掲示方法では、静止画のみの表示であり、注目度・宣伝効果がやや劣る傾向にあり内容の張替作業にコストが嵩む傾向にある。
また、従来のラズマディスプレー・大型液晶パネルは高コスト・設置スペースの大きさでも導入面で負担になる。装置単体での防犯対策・注目度・宣伝効果がやや劣る傾向にある。【０００４】  本発明は上記事情に鑑みて成されたものである。そこで本発明は、注目度・宣伝効果の向上と共に、防犯システム本体に内蔵可能にした安価かつ小スペース（屋内外問わず）に設置する電子ポスターを提供する事を目的とする。
【課題を解決するための手段】
【０００５】  本発明は、上記課題を解決するため、以下の手段を採用する。
本発明は防水構造の箱体内部に液晶ディスプレーにデータ転送するメディアプレーヤーが取り付けられていると共に、監視用カメラと監視映像を配信するアンプを箱体内部任意位置に設けられると共に、箱体前面中間部に取り付け文字・ロゴマーク等を切り抜き表示するサイン部を備える事により広告表示部の張替作業を記録メディアの入れ換えにより行い内容変更のコストダウンを実現しサイン部の視覚効果により注目度を高め広告効果を高める事ができる。
また監視用カメラが内蔵可能な事により防犯対策・宣伝効果の検証・設置場所の状況確認ができる。
【発明の効果】
【０００６】  前期構成を有する本発明の防水型電子ポスターは、広告表示部の内容変更により例えば季節ごとの注目商品やサービスの変更・改善点を静止画・動画を組合せ外部に表示される事と共にサイン部に例えば店名・ロゴマークなどを表示してどこが何をしているかを明確に表示しよりアピール性を向上させる。
また外的要因での破損・盗難時にも監視カメラからの画像を録画する事により原因の究明・把握が容易になる。
【発明を実施するための最良の形態】
【０００７】  以下、本発明に係る一実施形態について、図１及び図２を参照して説明する。
図１は本発明一実例の防水型電子ポスターの電気的構成を説明する図であり、図２は防水型電子ポスターの側面外形共に内部機器配置を説明する図である。【０００８】  防水ＢＯＸ３にはその背面部にキー付きコインロック１１を取付ける事が、内部機器へのイタズラ・盗難防止の為に好ましい。また防水ＢＯＸ底面にはロック付きキャスター１０を取付ける事が設置場所の容易な移動を行なう為に好ましい。【０００９】  防水ＢＯＸ３にはその内部前側上部にディスプレー４を取付ける為の金具と防水用のパッキン・塩ビパネルを設ける。前記ディスプレー４に映し出される映像をより視覚的に確認し易い様１０°〜１５°の傾斜を付ける事が望ましい。内部背面中間部にアダプター４・メディア再生機５・ＬＥＤ照明８・直流電源装置９を取付ける板を設ける。【００１０】  防水ＢＯＸ３には例えばその内部前面中間部にカメラ１取付け用の金具を設け、内部前面中間部にはサイン部７の防水用パッキン・塩ビパネルを設け、内部前面下部にはスピーカー６取付け金具を設ける。【００１０】  サイン部７は例えばＳＵＳ板にロゴマーク・文字をレーザー加工で切抜き防水ＢＯＸ３内部の数色のＬＥＤ照明８で照明し単色ＬＥＤでは表現できない視覚効果を出す。
前記ＬＥＤを安定使用する為に直流電源装置９を設ける。【００１１】  内部のメディア再生機は記憶媒体の内容に応じてディスプレー４の液晶画面に静止画・動画を表示する。なおこのディスプレー４は防水ＢＯＸ３の背面・両面にも設置できる。
音声・画像ともコンセントプラグを差込むだけで自動再生される。【００１２】  防水ＢＯＸ３にはディスプレー４に表示される静止画・動画に合わせた擬音・音声等をながせるスピーカー６を設置する事ができる。【００１３】  防水ＢＯＸ３には任意の位置に監視用カメラを設置できアダプターを介し無線又は有線にて撮影画面を外部モニター・パソコンに映し出す事ができる。前期監視カメラは暗視機能も有り夜間・暗所での撮影も実現する。
【図面の簡単な説明】
【００１４】
【図１】  本発明の一実施例である防水型電子ポスターの内部ブロック図である。
【図２】  本発明の一実施例である防水型電子ポスターの側面説明図である。
【符号の説明】
【００１５】  １  監視カメラ
２  アダプター
３  防水ＢＯＸ
４  ディスプレー
５  メディア再生機
６  スピーカー
７  サイン部
８  ＬＥＤ照明（多色使用）
９  直流電源装置
１０  ロック付きキャスター
１１  キー付きコインロック